(57)【要約】【課題】  端子を小さくしても基板との取付強度を確保することができる押釦スイッチを提供すること。【解決手段】  押釦２と接点部１０を収容するハウジング３と、ハウジング３から外方に向かって導出し基板５０に対する半田付け面１６を有した端子１５とからなる押釦スイッチ１において、端子１５の半田付け面１６は端子１５のハウジング３からの導出方向に対し傾斜する折り曲げ線１８で上方に折り曲げて形成される折り曲げ部１７を有してなる。【選択図】  図１
2006210194.tif 000002
【特許請求の範囲】
【請求項１】
押釦と接点部を収容するハウジングと、該ハウジングから外方に向かって導出し基板に対する半田付け面を有した端子とからなる押釦スイッチにおいて、
上記端子の半田付け面は端子のハウジングからの導出方向に対し傾斜する折り曲げ線で上方に折り曲げて形成される折り曲げ部を有してなることを特徴とする押釦スイッチ。
【請求項２】
上記端子の折り曲げ部は上記折り曲げ線で９０度よりも小さい角度に折り曲げられて上記基板との間に空間部を形成してなることを特徴とする請求項１記載の押釦スイッチ。
【請求項３】
上記端子は上記ハウジングの両側面からそれぞれ前後一対ずつ導出され、各端子にそれぞれ上記折り曲げ部を形成してなることを特徴とする請求項１または２記載の押釦スイッチ。
【請求項４】
上記前後一対の端子のうち前側の端子は上記折り曲げ線が前面側を向くように折り曲げてなると共に、後側の端子は上記折り曲げ線が後面側を向くように折り曲げてなることを特徴とする請求項３記載の押釦スイッチ。
【発明の詳細な説明】
【技術分野】
【０００１】
本発明は、押釦スイッチに関し、特に携帯電話、ゲーム機、各種オーディオ機器等の基板上に面実装される小型の押釦スイッチに関する。
【背景技術】
【０００２】
従来、携帯電話やゲーム機、各種オーディオ機器等に使用される操作スイッチとしては、絶縁樹脂等で成形されたハウジング上に、中央固定接点と外側固定接点を設け、これら固定接点の上部に外側固定接点と当接するドーム状の可動接点が設けたものが知られている。また、各固定接点は両側方に延びる接続片を有しており、この接続片の両端にはハウジングの外部に露出する端子が設けられる。この端子は接続片の両端から一端曲げ下げられ、その先はハウジングの下面と略平行とされ、端子の下面を基板に対する半田付け面とする。
【０００３】
この押釦スイッチは、ドーム状の可動接点を上方から押すことによって可動接点が中央固定接点に接触して導通し、スイッチとして機能する。また、押圧操作を行いやすくするため、可動接点の上部に所定の形状を有する操作釦が設けられる。このような従来の押釦スイッチとしては、例えば特許文献１に挙げるようなものがある。
【特許文献１】実登録２５７２５９０号公報
【発明の開示】
【発明が解決しようとする課題】
【０００４】
近年、携帯電話、ゲーム機、ポータブルオーディオ機器等の小型化に伴い、これらに使用される押釦スイッチを含む面実装製品の実装面積の小型化要求が益々高まっている。しかし、ハウジングを小型化することで、それに伴って端子も小さくなる。このため、端子と基板との半田付け面積が小さくなって、押釦スイッチの取付強度を確保することが困難となり、これにより押釦スイッチの小型化が阻害されていた。
【０００５】
本発明は上記課題を鑑みてなされたものであり、端子を小さくしても基板との取付強度を確保することができ小型化を図ることのできる押釦スイッチを提供することを目的とする。
【課題を解決するための手段】
【０００６】
上記課題を解決するため、本発明に係る押釦スイッチは、押釦と接点部を収容するハウジングと、該ハウジングから外方に向かって導出し基板に対する半田付け面を有した端子とからなる押釦スイッチにおいて、
上記端子の半田付け面は端子のハウジングからの導出方向に対し傾斜する折り曲げ線で上方に折り曲げて形成される折り曲げ部を有してなることを特徴として構成されている。
【０００７】
また、本発明に係る押釦スイッチは、上記端子の折り曲げ部は上記折り曲げ線で９０度よりも小さい角度に折り曲げられて上記基板との間に空間部を形成してなることを特徴として構成されている。
【０００８】
さらに、本発明に係る押釦スイッチは、上記端子は上記ハウジングの両側面からそれぞれ前後一対ずつ導出され、各端子にそれぞれ上記折り曲げ部を形成してなることを特徴として構成されている。
【０００９】
さらにまた、本発明に係る押釦スイッチは、上記前後一対の端子のうち前側の端子は上記折り曲げ線が前面側を向くように折り曲げてなると共に、後側の端子は上記折り曲げ線が後面側を向くように折り曲げてなることを特徴として構成されている。
【発明の効果】
【００１０】
本発明に係る押釦スイッチによれば、端子の半田付け面は端子のハウジングからの導出方向に対し傾斜する折り曲げ線で上方に折り曲げて形成される折り曲げ部を有してなることにより、折り曲げ部を基板に対し半田付けすることで、端子のハウジングからの導出方向及びそれと直交する方向の両方の向きに対する取付強度を向上させることができるので、端子を小型化しても充分な取付強度を確保することができる。すなわち、押釦スイッチの小型化を図ることができる。
【００１１】
また、本発明に係る押釦スイッチによれば、端子の折り曲げ部は折り曲げ線で９０度よりも小さい角度に折り曲げられて基板との間に空間部を形成してなることにより、空間部に半田を充填することができるので、折り曲げ部の基板に対する取付強度を充分に確保することができる。
【００１２】
さらに、本発明に係る押釦スイッチによれば、端子はハウジングの両側面からそれぞれ前後一対ずつ導出され、各端子にそれぞれ折り曲げ部を形成してなることにより、基板に対する取付強度をより向上させることができる。
【００１３】
さらにまた、本発明に係る押釦スイッチによれば、前後一対の端子のうち前側の端子は折り曲げ線が前面側を向くように折り曲げてなると共に、後側の端子は折り曲げ線が後面側を向くように折り曲げてなることにより、基板に対する前後方向の取付強度をいずれも向上させることができる。
【発明を実施するための最良の形態】
【００１４】
本発明の実施形態について図面に添って詳細に説明する。図１は本実施形態における押釦スイッチ１の平面図、図２は押釦スイッチ１の正面図、図３は図１のＡ−Ａ断面図、図４は図１のＢ−Ｂ断面図である。これら各図に示すように、本実施形態における押釦スイッチ１は、押釦２と接点部１０とを収容するハウジング３と、接点部１０に導通すると共にハウジング３の側面４から外部に導出される端子１５とを有してなり、押釦２の操作により、スイッチの切り替えを行うものである。
【００１５】
ハウジング３は、図１及び図２に示すように、略方形箱状に形成され、樹脂等の絶縁材料から成形される。ハウジング３には、押釦２と接点部１０が収容されており、押釦２の操作により各接点部１０が当接又は離隔することによって、スイッチ機能を果たす。
【００１６】
ハウジング３に収容される接点部１０は、固定接点１１と可動接点１４とから構成される。固定接点１１は、上面が凸状に形成された略円形状の中央接触部１２ａを有する中央固定接点１２と、中央固定接点１２を挟む対称位置に、上面が凸状に形成された略矩形状の周辺接触部１３ａ、１３ａを有する周辺固定接点１３とからなる。
【００１７】
中央固定接点１２は金属等の導電性材料から形成され、図１及び図４に示すように、中央接触部１２ａと導通し、ハウジング３の側面４に向かって直線的に延びる中央連結部１２ｂと、中央連結部１２ｂに略直交して導通し、ハウジング３の両側方へ略直線的に延びる接続片１２ｃとを有する。
【００１８】
同様に周辺固定接点１３は金属等の導電性材料から形成され、各周辺接触部１３ｃと導通し、中央連結部１２ｂとは反対方向に延びる周辺連結部１３ｂと、周辺連結部１３ｂと導通し、ハウジング３の両側方へ略直線的に延びる接続片１３ｃを有する。両接続片１２ｃ、１３ｃは互いに略平行に設けられている。
【００１９】
各固定接点１１は、図３に示すようにハウジング３の内底面に中央接触部１２ａと周辺接触部１３ａ、１３ａとを露出させてインサート成形される。そして、接続片１２ｃ、１３ｃの両端にはそれぞれ、ハウジング３の側面４から突出して露出する端子１５、１５が設けられる。
【００２０】
端子１５は、図４に示すように接続片１２ｃ、１３ｃの両端から一端曲げ下げられ、その先はハウジング３の下面５と略平行となっている。すなわち、ハウジング３の両側面４、４からは中央固定接点１２と導通する端子１５と、周辺固定接点１３と導通する端子１５とが前後一対ずつ導出される。ハウジング３から導出された各端子１５の下面は基板に取り付けられる半田付け面１６であり、押釦スイッチ１全体が基板と半田付け部１６との接合により固定される。
【００２１】
ハウジング３の側面４から導出された端子１５は、その先端に折り曲げ部１７が形成される。折り曲げ部１７は、端子１５の先端角部２０を上方に折り曲げることによって形成される。すなわち、端子１５の先端角部２０が上方に曲げ起こされて、半田付け面１６がハウジング３の前面側又は後面側に露出した状態となる。
【００２２】
図５は折り曲げ部１７の形成について示した図であり、図５（ａ）は折り曲げ部１７の形成前、図５（ｂ）は折り曲げ部１７の形成後について示した平面図、図６は図５（ｂ）のＣ−Ｃ断面図である。折り曲げ部１７は、端子１５の先端角部２０において図５（ａ）に示す折り曲げ線１８で上方に折り曲げることによって形成される。折り曲げ線１８は、図５（ａ）に示す矢印方向である端子１５の導出方向に対して傾斜する方向とし、この折り曲げ線１８に沿って端子１５先端を上方に曲げ起こすことによって、図５（ｂ）に示すように折り曲げ部１７が形成される。
【００２３】
また、図６に示すように、折り曲げ部１７の曲げ角度θは９０度より小さい角度とする。曲げ角度θを９０度より小さい角度としたことで、折り曲げ部１７と基板５０との間に空間部１９を形成することができる。このため、図７に示すように、この空間部１９に半田４０を充填することによって、折り曲げ部１７の基板５０に対する取付強度を充分に確保することができる。
【００２４】
折り曲げ線１８をハウジング３からの導出方向に対して傾斜する方向として折り曲げ部１７を形成することにより、折り曲げ部１７の半田付け面１６は、端子１５のハウジング３からの導出方向及びそれと直交する方向であるハウジング３の前面側又は後面側を向いた形状となる。このため、折り曲げ部１７を基板５０に半田付けすることで、端子１５のハウジング３からの導出方向及びそれと直交する方向の両方の向きに対して半田付けすることができる。
【００２５】
すなわち、折り曲げ部１７を形成することによって、端子１５のハウジング３からの導出方向及びそれと直交する方向の両方の向きに対する取付強度を向上させることができるので、端子１５自体を小型化しても、基板５０に対する充分な取付強度を確保することができる。これにより、スイッチ１全体の小型化を図ることができる。
【００２６】
また、各端子１５にそれぞれ折り曲げ部１７を形成することによって、端子１５それぞれを基板５０に対して強固に取付けることができ、全体として取付強度を向上させることができる。
【００２７】
また、前後一対の端子１５、１５に形成された折り曲げ部１７は、図１に示すように前側の端子１５は折り曲げ線１８がハウジング３の前面側を向くように折り曲げられ、後側の端子１５は折り曲げ線１８がハウジング３の後面側を向くように折り曲げられて、それぞれ折り曲げ部１７が形成される。すなわち、各折り曲げ部１７が前後の端子１５、１５に対して前後対称となるように、それぞれ外側の先端角部２０に形成される。
【００２８】
これにより、前側の端子１５の半田付け面１６はハウジング３からの導出方向及びハウジング３の前面側を向き、後側の端子１５の半田付け面１６はハウジング３からの導出方向及びハウジング３の後面側を向いた形状となる。このため、上述のように、前側の端子１５は折り曲げ部１７によりハウジング３からの導出方向及びこれと直交するハウジング３の前面側からの方向に対する取付強度が向上し、後側の端子１５は折り曲げ部１７によりハウジング３からの導出方向及びこれと直交するハウジング３の後面側からの方向に対する取付強度が向上する。
【００２９】
すなわち、前後一対の端子１５、１５に、折り曲げ部１７を互いに前後対称となるように形成することによって、ハウジング３の導出方向及びこれと直交するハウジング３の前後方向両方に対して取付強度を向上させることができる。また、前後の端子で折り曲げ部１７が異なる向きに傾斜しているので、表面実装時に半田溶融差が生じることによるマンハッタン現象（チップ立ち現象）を防止することが可能となる。本実施形態では、折り曲げ部１７を端子１５の外側の先端角部２０に設けることとしたが、折り曲げ部１７を端子１５の内側の先端角部２０にそれぞれ設けることとしてもよい。
【００３０】
また、従来の折り曲げ部１７を設けない端子１５では、端子１５の下面が基板５０と接合されるので、半田付けの確認が困難であり、半田付けされていない端子があっても発見しにくいという問題があった。しかし、本実施形態では、各端子１５先端に折り曲げ部１７がそれぞれ形成されており、折り曲げ部１７により半田付け面１６の一部がそれぞれハウジング３の前面側又は後面側に露出するので、半田付け面１６を目視で確認しやすく、容易に半田付けされているかどうか確認することができる。
【００３１】
また、ハウジング３は、図１及び図３に示すように、周辺固定接点１３の周辺接触部１３ａに外周下端を当接させて配置された可動接点１４を備えている。可動接点１４は金属等の導電性材料からなり、弾性を有する円形ドーム状に形成される。可動接点１４の上部には、下面に粘着剤が塗布された可撓性を有する略円形の絶縁フィルム３０が固着されている。この絶縁フィルム３０は可動接点１４の中央頂点部１４ａにも固着されており、円形ドーム状の可動接点１４をハウジング３内の所定位置に保持すると共に、スイッチ接点部分に対する粉塵、フラックス等の侵入を防止する。
【００３２】
そして、この絶縁フィルム３０の上部に押釦２が配置され、押釦２の操作によって絶縁フィルム３０を介して可動接点１４を押圧する。なお、本実施形態では可動接点１４の形状を円形としているが、特にこれに限られるものではなく、例えば八角形、方形等、他の形状でもよい。
【００３３】
以上、本発明の実施形態について説明したが、本発明の適用はこれら実施形態には限られず、その技術的思想の範囲内において様々に適用されうるものである。本実施形態におけるハウジング３の形状については略方形状としたが、本発明の適用はこれに限られず、各接点部１０を収容できる形状であれば、底部を略円形状とする等、本実施形態には限定されない。
【図面の簡単な説明】
【００３４】
【図１】本実施形態における押釦スイッチの平面図である。
【図２】押釦スイッチの正面図である。
【図３】図１のＡ−Ａ断面図である。
【図４】図１のＢ−Ｂ断面図である。
【図５】本実施形態における折り曲げ部の形成について示す平面図である。
【図６】折り曲げ部が形成された端子の断面図である。
【図７】折り曲げ部が形成された端子を基板に取り付けた状態を示す断面図である。
【符号の説明】
【００３５】
１    押釦スイッチ
２    押釦
３    ハウジング
４    側面
５    下面
１０    接点部
１１    固定接点
１２    中央固定接点
１３    周辺固定接点
１４    可動接点
１５    端子
１６    半田付け面
１７    折り曲げ部
１８    折り曲げ線
１９    空間部
２０    先端角部
３０    絶縁フィルム
４０    半田
５０    基板
【図１】
2006210194.tif 000003
【図２】
2006210194.tif 000004
【図３】
2006210194.tif 000005
【図４】
2006210194.tif 000006
【図５】
2006210194.tif 000007
【図６】
2006210194.tif 000008
【図７】
2006210194.tif 000009